(57)【要約】【課題】相乗効果的に人体への有用な遠赤外線とミネラルおよびマイナスイオンでの複合効果を発揮させることができる椅子を提供する。【解決手段】座ることができる形状と大きさの座部２と脚部３からなる椅子本体１の、座部２の裏側または脚部３の内側に遠赤外線とミネラルおよびマイナスイオン発生材４としての活性石４１、セラミック４２、木竹炭４３、およびマイナスイオン発生装置５の少なくともふたつを、それらを混合したり、組み合せて保持する手段６を設ける。【選択図】　　図１
2004113733.tif 000002
【特許請求の範囲】
【請求項１】
座ることができる形状と大きさの座部（２）と脚部（３，３）からなる椅子本体（１）の、前記座部（２）の裏側または脚部（３，３）の内側に遠赤外線とミネラルおよびマイナスイオン発生材（４）としての活性石（４１）、セラミック（４２）、木竹炭（４３）、およびマイナスイオン発生装置（５）の少なくともふたつを、それらを混合したり、組み合せて保持する手段（６，７）を設けたことを特徴とする椅子。
【請求項２】
上記遠赤外線とミネラルおよびマイナスイオン発生材（４）を保持する手段（７）として、脚部（３，３）の下端付近の内側に少なくとも二本の橋渡し棒（６）を平行に設け、当該橋渡し棒（６）の上に収納可能な網袋（７）を設け、当該網袋（７）が少なくとも二種類のメッシュによる網材（７１，７２）を重合した楕円板形の網袋（７）である請求項１記載の椅子。
【請求項３】
脚部（３，３）の下端である床接面を前後方向に連続した円弧状の面（３１）とした請求項１または請求項２記載の椅子。
【請求項４】
脚部（３，３）の床接面の横断中心軸とする中央付近の一部を平面部（３２）として、その前後の延長上に円弧状の面（３１）を設けた請求項１、または請求項２記載の椅子。
【請求項５】
座部（２）の縁に沿って少なくとも一箇所の握持部用の長穴（２１）を設けた請求項１、請求項２、請求項３または請求項４記載の椅子。
【発明の詳細な説明】
【０００１】
【発明の属する技術分野】
この発明は、室内で用いたり、主として浴室の浴槽内で使用して、半身浴ができる椅子であり、詳しくは安楽に腰を掛けて座ることができ、長時間入浴していても疲れないでリラックスすることができる椅子に関するものである。
【０００２】
【従来の技術】
従来、浴槽内椅子として、手摺、背もたれ、滑り止め等の機能付きの物はあったが、いずれも介護用やダイエット用が殆どで、ゆとり感や自然感に乏しく、健康と安らぎや楽しさを追求できるものではなかった。
ただ、本発明が関連する半身浴ができる浴用椅子として、以下の技術が知られている。
【０００３】
【特許文献１】
実開平６−２６６０２　座部の裏面のケース内に活性石を収容したもの。
【特許文献２】
特開平７−３０３５７９　穴付き箱状の椅子の中に木炭を収容したもの。
【特許文献３】
特開２００１−９５７０７　椅子本体と上面の座板の間に錘を取付けたもの。
【０００４】
【発明が解決しようとする課題】
上記のものにはつぎのような問題や欠点があった。
（イ）いずれも活性石や木炭だけを利用したり、椅子に錘を付けただけなので、人体への有用な遠赤外線とミネラルおよびマイナスイオンでの複合効果がない。
（ロ）いずれも単に腰掛けるだけであり、安らぎの効果や楽しさに乏しい。
（ハ）文献１は活性石が多孔板のケースに収容され、ケースの孔より小さな石は使用することができない。
（ニ）文献１は石が汚れた場合に、取出して完全に清掃することができない。
【０００５】
この発明は、上記欠点をなくし、いくつかの問題を解消しようとしてなされたもので、相乗効果的に人体への有用な遠赤外線とミネラルおよびマイナスイオンでの複合効果を発揮させることができる椅子を提供するものである。
【０００６】
【課題を解決する為の手段】
座ることができる形状と大きさの座部と脚部からなる椅子本体の、前記座部の裏側または脚部の内側に遠赤外線とミネラルおよびマイナスイオン発生材としての活性石、セラミック、木竹炭、およびマイナスイオン発生装置の少なくともふたつを、それらを組み合せたり、混合して保持する手段を設けることである。
【０００７】
そして、上記遠赤外線とミネラルおよびマイナスイオン発生材を保持する手段として、脚部の下端付近の内側に少なくとも二本の橋波し棒を平行に設け、当該橋渡し棒の上に収納可能な網袋を設け、この網袋が少なくとも二種類のメッシュによる網材を重合した楕円板形の網袋とすることである。
【０００８】
また、脚部の下端である床接面を前後方向に連続した円弧状の面とすると好ましい。
【０００９】
また、脚部の床接面の横断中心軸とする中央付近の一部を平面部として、その前後の延長上に円弧状の面を設けることも考えられる。
【００１０】
更に、座部の縁に沿って少なくとも一箇所の握持部用の長穴を設けると良い。
【００１１】
上記のように構成された椅子なので、活性石、セラミック、木竹炭、およびマイナスイオン発生装置の少なくともふたつを、それらを組み合せたり、混合して保持するので、相乗的に効果作用を発揮する。
【００１２】
また、浴用椅子として浴槽内で使用する場合には、椅子本体を木材によって構成しても、椅子が浮き上がることがなく、椅子本体と一体化をなす網袋内の活性石は錘として作用する。
【００１３】
【発明の実施の形態】
発明の実施の形態を実施例にもとづき図面を参照して説明する。
図１は本発明の一実施例である椅子の斜視図で、図２は図１のＸ−Ｘ線からの断面図で、図３は遠赤外線とミネラルおよびマイナスイオン材収納網袋の斜視図で、図４は本発明の椅子の使用状態を示す図で、図５は他の実施例である椅子の脚部下端面中央の一部を平面とした側面図である。
【００１４】
図１および図２において、檜の厚板材によって構成される椅子本体１は、座ることができる大きさで角を大きく取った平面矩形の座部２と当該座部２の裏面に間隔を有して対称に配置する一対の厚板状の脚部３，３からなり、脚部３，３の上端には座部２の裏面に形成された窪みにはまる突起部を設け、この突起部を座部２の窪みにはめ込んで、接着剤にて脚部３，３の上端面を座部２の裏面に接着固定される。
【００１５】
そして、必要に応じて前記脚部３，３の下端面の床接面の横断中心軸とする中央付近に円の中心を有する大きな半径の円弧面部３１を設けておく。
こうすることによって、両脚部３，３の床との接触が線となって、円弧に沿って移動するので、ロッキングチェヤーのような動き（作用）をする。
勿論、単なる腰掛椅子であればよい場合には円弧状の面３１を省いて平面にすればよい。
【００１６】
更に、必要に応じて座部２の一方の長辺の縁に沿って手の指を揃えて入る程の握持部用長穴２１を設けておく。
こうすることによって、活性石４１等が装着された重い椅子本体１でも容易に片手で持ち上げたり、運搬することができる。
勿論、単なる腰掛椅子であればよい場合には握持部用長穴２１を省いて平面にすればよい。
【００１７】
椅子本体１の座部２の裏側にある一対の脚部３，３の下端面付近（端面から１ｃｍ程上の位置）に平行に所定の間隔で四角な三本の橋渡し棒６を設ける。それらの内の両側の橋渡し棒６を中央の物よりも僅かに高い位置にしておくと良い。また、両側の橋渡し棒６には長さの中央で対称位置に遠赤外線とミネラルおよびマイナスイオン発生材４を入れた網袋７を縛る紐８の紐孔６１を設けておく。
この紐孔６１に網袋７を縛って固定できる長さの金剛打ち綿製紐８を下面から通しておく。
前記両側の橋渡し棒６を中央の物よりも僅かに高い位置にしておくことは、活性石４１を収容した網袋７を移動し難くして安定した装着ができる。
【００１８】
前記遠赤外線とミネラルおよびマイナスイオン発生材４としては活性石４１、セラミック４２、木竹炭４３等を少なくとも二種類を最適な割合で混合したり、または図示しないが、それらと共にマイナスイオン発生装置５を組み合せたりすることも考えられる。
本実施例では、特に遠赤外線と共に人体に有効な多くのミネラル分を多量に発生させる活性石４１と特にマイナスイオンと共に人体の疲労回復に有効な遠赤外線を放射する竹炭をも含む特殊なセラミック（ＴＣ−イオンセラミック）４２を混合して網袋７に詰めたものを保持する。そして前記活性石４１としては各有効成分が異なるオーラストン、麦飯石、赤鉱石、緑鉱石、黒光石、五色石を混合して構成した。
従って、それらの総合的な相乗効果によって、極めて効率良く、優れた疲労回復効果が得られる。
その他、活性石４１には医王石や電気石（トルマリン鉱石）等も用いることができる。
【００１９】
図３は遠赤外線とミネラルおよびマイナスイオン材収容網袋の斜視図である。図３に示すように、ナイロン糸による二種類のメッシュの網材を重合した網袋７であって、内側の網目は０．２〜１ｍｍと細目で、外側の網目は３〜５ｍｍと粗目としている。
網袋７の大きさと形状は座部２と三本の橋渡し棒６の間に納まる高さで両脚３，３の間に納まる長さの楕円板形である。そして長手方向の側面中央には長手方向の全域に渡ってファスナ７３を取付ける。
前記のように二種類のメッシュの網材を使用することによって、細目材では細かい粒子のものまで洩らすことなく収容し、粗目材では集合して重くなった石材等を充分に保持する強度を備えることができる。また、形状も両端を円くすることによって、椅子本体１の中に容易に出し入れして脱着することがし易く、側面の幅広いファスナ７３によって活性石４１等の収納や交換作業を容易にすることができる。
【００２０】
以上のように構成されているので、これを使用する時は、図４で示すように、最初に浴室の浴槽内の腰掛け易い場所に沈めて使用する。
入浴者は椅子本体１の座部２に腰を掛けて、楽な姿勢で半身浴をすることができ、従来のように中腰になることがないために、長い時間を湯船に入っていても疲れることがない。
【００２１】
また、細い矢印で示すように入浴者はマイナスイオンや各種のミネラルおよび遠赤外線を充分浴びて、半身浴の効果を一層高めることができる。
【００２２】
また、座部２に腰掛けて体重を僅かに足で支えながら、足の屈伸運動をすると全身の運動にもなり、しかも太い矢印で示すようにロッキングチェヤのごとく、ゆらゆらと前後に揺れて快適で入浴を満喫することができる。
【００２３】
また、活性石４１等が湯垢やその他の不純物の付着によって汚染されて、その機能が低下した場合には網袋７から取り出して洗浄すれば、それらの性能は復元するので繰り返し使用することができる。
【００２４】
以上、これまで、本発明の椅子は主として入浴用として説明してきたが、決して入浴用に限定されるものでなく、冬場のこたつ等における椅子としても用いられ、遠赤外線による体内保温効果とミネラルおよびマイナスイオンによる室内の浄化や揺らぎ効果、そして年配者の立ち上がる時の補助椅子としても有用なものである。
【００２５】
他の実施例として、図５は脚部の下端面中央の一部を平面とした脚部の側面図で、このように脚部３，３の床接面の横断中心軸とする中央付近の一部である直線距離Ｓ（実施例では脚部幅の２０〜３０％）を平面部３２として、その前後に円弧面部３１，３１を設けたものである。
また、必要に応じて脚部３，３の前後にそれぞれストッパ３３を設けておく。
この場合、常に平面で床に接しているので座部２に足を乗せた場合でも、安定させていることができる。
また、脚部３，３の前後にそれぞれストッパ３３を設けておくことによって、椅子本体１を大きく傾けて前後の円弧部３１で揺らぎ作動をさせた場合でも一定な最大傾斜角度になった時に止めて、それ以上傾斜して転倒することを防止できる。
【００２６】
その他の実施例として、図示しないが特にマイナスイオンを多く必要とする場合には、ユニット化した箱形のマイナスイオン発生装置５を座部２の裏に取付けて、その下側に活性石４１等を入れた薄目の網袋７を設けることも考えられる。
【００２７】
以上本発明の三つの実施例について説明したが、本発明はそれらの実施例に限定されることなく、本発明の範囲内で多種の実施例が可能である。
例えば椅子本体１は木材以外の材質により形成してもよく、また活性石４１等の収容網袋７は金属の網やパンチメタルでもよい。
【００２８】
【発明の効果】
本発明は、以上説明したように構成されているので、次のような効果がある。
【００２９】
遠赤外線とミネラルおよびマイナスイオン発生材としての活性石、セラミック、木竹炭、およびマイナスイオン発生装置の少なくともふたつを、それらを混合したり、組み合せて椅子の裏側に保持したことにより、それぞれの発生材や装置の総合的な相乗効果によって、極めて効率良く発生され、優れた疲労回復効果が得られる。
また、安楽な姿勢で浴槽内の椅子の座部に腰を掛けて座ることができ、長時間入浴しても疲れないで半身浴をすることができる。
【００３０】そして、遠赤外線とミネラルおよびマイナスイオン発生材を保持する手段として、脚部の下端付近に橋渡し棒を平行に設け、その上に収納可能な二種類のメッシュによる網材を重合した楕円板形の網袋を設けたことによって、安定した位置に確実に装着されると共に脱着作業が容易であり、しかも小さな粒の活性石材やセラミックや炭等も利用することができ、浴槽の水との接触が多くなるので遠赤外線や各種ミネラルおよびマイナスイオンの発生効率を向上することができる。
【００３１】
そして、脚部の下端である床接面を前後方向に連続した円弧状の面としたことによって、身体の重心を移動したり、足の屈伸運動で椅子がロッキングチェヤーのように揺らぎ楽しく入浴などに使用することができる。
【００３２】
また、脚部の床接面の横断中心軸とする中央付近の一部を平面部として、その前後の延長上に円弧状の面を設けたことによって、座部に乗った場合でも椅子の安定を保つことができる。
【００３３】
更に、座部の縁に沿って少なくとも一箇所の握持部用の長穴を設けたことによって、長穴に手を入れて椅子を片手で容易に持ち上げたり、運搬することができる。
【図面の簡単な説明】
【図１】本発明の実施例を示す斜視図である。
【図２】図１のＸ−Ｘ線からの断面図である。
【図３】本発明の遠赤外線とミネラル及びマイナスイオン材収納網袋の斜視図である。
【図４】本発明の使用状態を示す図である。
【図５】本発明の他の実施例の側面図である。
【符号の説明】
１　椅子本体
２　座部
２１　長穴
３　脚部
３１　円弧面部
３２　平面部
３３　ストッパ
４　遠赤外線とミネラル及びマイナスイオン発生材
４１　活性石
４２　セラミック
４３　木竹炭
５　マイナスイオン発生装置
６　橋渡し棒
６１　紐孔
７　網袋
７１　細目網
７２　粗目網
７３　ファスナ
８　紐
Ｓ　直線距離
【図１】
2004113733.tif 000003
【図２】
2004113733.tif 000004
【図３】
2004113733.tif 000005
【図４】
2004113733.tif 000006
【図５】
2004113733.tif 000007